(57)【要約】【課題】１個で複数のかぶりの寸法に対応できるようにし、部品点数を低減して製造や管理を容易にできるようにする。【解決手段】相対向する平行な一対の面の組を３組（Ａ１−Ａ２，Ｂ１−Ｂ２，Ｃ１−Ｃ２）有し、縦寸法，横寸法及び高さ寸法が夫々異なる直方体からなる高強度コンクリートで形成されたブロック本体１０を備え、各面の組のいずれか一方の面（Ａ１，Ｂ１，Ｃ１）に最下端の鉄筋を係合支持可能な溝１１を形成し、一方の面（Ａ１，Ｂ１，Ｃ１）及び他方の面（Ａ２，Ｂ２，Ｃ２）間の面間（Ａ１−Ａ２，Ｂ１−Ｂ２，Ｃ１−Ｃ２）の面間距離Ｘ（Ｘａ，Ｘｂ，Ｘｃ）と一方の面（Ａ１，Ｂ１，Ｃ１）に形成した溝１１の底部（Ａ３，Ｂ３，Ｃ３）及び他方の面（Ａ２，Ｂ２，Ｃ２）間の面溝間（Ａ２−Ａ３，Ｂ２−Ｂ３，Ｃ２−Ｃ３）の溝面距離Ｙ（Ｙａ，Ｙｂ，Ｙｃ）とを、全面の組で各々異ならせた。【選択図】　　図１
0003097905.tif 000002
【実用新案登録請求の範囲】
【請求項１】
基礎面上に鉄筋を組んで形成される鉄筋組体を構築する際、上記基礎面と上記鉄筋組体の最下位の鉄筋との間に介装されてかぶりを確保する鉄筋用スペーサにおいて、
相対向する平行な一対の面の組を３以上有したブロック本体を備え、上記各面の組のいずれか一方の面に上記最下端の鉄筋を係合支持可能な溝を形成し、上記一方の面及び他方の面間の面間距離と上記一方の面に形成した溝の底部及び他方の面間の溝面距離とを、全面の組で各々異ならせたことを特徴とする鉄筋用スペーサ。
【請求項２】
上記ブロック本体が縦寸法，横寸法及び高さ寸法が夫々異なる直方体であることを特徴とする請求項１記載の鉄筋用スペーサ。
【請求項３】
上記ブロック本体を高強度コンクリートで形成したことを特徴とする請求項１または２記載の鉄筋用スペーサ。
【考案の詳細な説明】
【０００１】
【考案の属する技術分野】
本考案は、鉄筋コンクリート建物の構築の際等に用いられる鉄筋用スペーサに係り、特に、基礎面上に鉄筋を組んで形成される鉄筋組体を構築する際、基礎面と鉄筋組体の最下位の鉄筋との間に介装されてかぶりを確保する鉄筋用スペーサに関する。
【０００２】
【従来の技術】
従来、この種の鉄筋用スペーサには、例えば、特開２００２−１０６１１４号公報に記載されたものが知られている（特許文献１参照）。
図８に示すように、この従来の鉄筋用スペーサ１００は、モルタルあるいはコンクリート製の正８角柱のブロック体で形成され、柱状の高さＮと、正８角形の対辺距離ｎを等しくしたものである。
【０００３】
そして、鉄筋コンクリート建物の構築の際等に、この鉄筋用スペーサ１００を使用するときは、基礎面１と鉄筋組体２の最下位の鉄筋３との間に介装して、所謂「かぶりＬ」を確保する。この場合、柱状の高さＮと対辺距離ｎを等しくしたことで、鉄筋用スペーサ１００を縦型に使用しても、横型に使用しても、常に指定された寸法Ｎ及びｎが確保され誤使用が防止される。鉄筋コンクリート建物においては、種々の「かぶりＬ」の寸法のものがあり、この「かぶりＬ」が異なる場合には、これに合わせた寸法Ｎ及びｎの鉄筋用スペーサ１００を用意する。
【０００４】
【特許文献１】
特開２００２−１０６１１４号公報
【０００５】
【考案が解決しようとする課題】
ところで、従来の鉄筋用スペーサ１００においては、柱状の高さＮと対辺距離ｎが等しいので、「かぶりＬ」の寸法が異なる場合には、これに合わせて逐一別の種類の鉄筋用スペーサを製造しなければならないことになり、そのため、多種類の鉄筋用スペーサを製造しなければならないことになって、部品点数が多くなり、製造や管理が煩雑になるという問題があった。
【０００６】
本考案は上記の問題点に鑑みて為されたもので、１個で複数のかぶりの寸法に対応できるようにし、部品点数を低減して製造や管理を容易にできるようにした鉄筋用スペーサを提供することを目的とする。
【０００７】
【課題を解決するための手段】
このような目的を達成するための本考案の技術的手段は、基礎面上に鉄筋を組んで形成される鉄筋組体を構築する際、上記基礎面と上記鉄筋組体の最下位の鉄筋との間に介装されてかぶりを確保する鉄筋用スペーサにおいて、相対向する平行な一対の面の組を３以上有したブロック本体を備え、上記各面の組のいずれか一方の面に上記最下端の鉄筋を係合支持可能な溝を形成し、上記一方の面及び他方の面間の面間距離と上記一方の面に形成した溝の底部及び他方の面間の溝面距離とを、全面の組で各々異ならせた構成としている。
【０００８】
これにより、鉄筋コンクリート建物の構築の際等に、この鉄筋用スペーサを使用するときは、基礎面と鉄筋組体の最下位の鉄筋との間に介装して、所謂「かぶり」を確保する。この場合、例えば、いずれか１つの面の組において、面溝距離が対応するように、他方の面を基礎面に接し、一方の面の溝が最下位の鉄筋に係合するように配置する。あるいは、面間距離が対応するように、一方の面及び他方の面のいずれか一方が基礎面に接し、他方が最下位の鉄筋に接するように配置する。このようにして、ブロック本体の載置する面を変えることにより、複数の「かぶり」寸法に対応できるようになる。これにより、１個で複数の「かぶり」寸法に対応でき、それだけ汎用性が高くなり、また、部品点数が低減され、製造や管理が容易に行なわれる。
【０００９】
また、必要に応じ、上記ブロック本体が縦寸法，横寸法及び高さ寸法が夫々異なる直方体である構成としている。製造が容易であり、安定性も確保される。
そして、必要に応じ、上記ブロック本体を高強度コンクリートで形成した構成としている。これにより、通常の構造物コンクリート強度以上の強度が満たされる。
【００１０】
【考案の実施の形態】
以下、添付図面に基づいて、本考案の実施の形態に係る鉄筋用スペーサについて詳細に説明する。
図１に本考案の実施の形態に係る鉄筋用スペーサＳを示す。鉄筋用スペーサＳは、相対向する平行な一対の面の組を３組（Ａ１−Ａ２，Ｂ１−Ｂ２，Ｃ１−Ｃ２）有したブロック本体１０、即ち、縦寸法，横寸法及び高さ寸法が夫々異なる直方体のブロック本体１０を備えている。
【００１１】
ブロック本体１０の各面の組のいずれか一方の面（Ａ１，Ｂ１，Ｃ１）には、最下端の鉄筋３（図３及び４）が没入支持可能な溝１１を形成し、一方の面（Ａ１，Ｂ１，Ｃ１）及び他方の面（Ａ２，Ｂ２，Ｃ２）間の面間（Ａ１−Ａ２，Ｂ１−Ｂ２，Ｃ１−Ｃ２）の面間距離Ｘ（Ｘａ，Ｘｂ，Ｘｃ）と他方の面（Ａ２，Ｂ２，Ｃ２）及び溝１１の底部（Ａ３，Ｂ３，Ｃ３）間の溝面間（Ａ２−Ａ３，Ｂ２−Ｂ３，Ｃ２−Ｃ３）の溝面距離Ｙ（Ｙａ，Ｙｂ，Ｙｃ）とを全面の組で各々異ならせている。
また、ブロック本体は、高強度コンクリート（σ＝４０Ｎ／ｍｍ２　以上）で型形成されている。そのため、通常の構造物コンクリート強度以上の強度を満たしている。
【００１２】
詳しくは、図２に示すように、鉄筋用スペーサＳのブロック本体１０に設けられている溝１１は、半円柱状に形成され、面の中央であって一対の左右の辺間に亘って設けられるとともに一対の他の左右の辺と平行で且つ同一の長さに形成されている。即ち、ブロック本体１０は縦寸法，横寸法及び高さ寸法が夫々異なる直方体であるので、１個のブロック本体１０で３種類の異なる長さの溝１１が設けられることになる。
【００１３】
具体的な寸法関係は、例えば、図２に示すように、ブロック本体１０の１つの面の組（Ａ１−Ａ２）において、一方の面Ａ１及び他方の面Ａ２間の面間距離ＸａがＸａ＝１００ｍｍ、他方Ａ２の面及び溝１１の底部Ａ３間の溝面距離ＹａがＹａ＝９０ｍｍ、ブロック本体１０の他の１つの面の組（Ｂ１−Ｂ２）において、一方の面Ｂ１及び他方の面Ｂ２間の面間距離ＸｂがＸｂ＝８０ｍｍ、他方の面Ｂ２及び溝１１の底部Ｂ３間の溝面距離ＹｂがＹｂ＝７０ｍｍ、ブロック本体１０のその他の１つの面の組（Ｃ１−Ｃ２）において、一方の面Ｃ１及び他方の面Ｃ２間の面間距離ＸｃがＸｃ＝６０ｍｍ、他方の面Ｃ２及び溝１１の底部Ｃ３間の溝面距離ＹｃがＹｃ＝５０ｍｍに定められる。
【００１４】
従って、鉄筋コンクリート建物の構築の際等に、この鉄筋用スペーサＳを使用するときは、図３及び図４に示すように、基礎面１と鉄筋組体２の最下位の鉄筋３との間に介装して、所謂「かぶりＬ」を確保する。この場合、例えば、「かぶりＬ」寸法が、５０ｍｍの場合、図３に示すように、面溝距離Ｙｃが対応するように、他方の面Ｃ２を基礎面１に接し、一方の面Ｃ１の溝１１が最下位の鉄筋３に係合するように配置する。
【００１５】
また、例えば、「かぶりＬ」寸法が、６０ｍｍの場合、図４に示すように、面間距離Ｘｃが対応するように、一方の面Ｃ１及び他方の面Ｃ２のいずれか一方が基礎面１に接し、他方が最下位の鉄筋３に接するように配置する。
【００１６】
そして、同様にして、ブロック本体１０の載置する面を変えることにより、「かぶりＬ」寸法が、７０ｍｍ，８０ｍｍ，９０ｍｍ，１００ｍｍの場合に対応できるようになる。このようにして本考案の鉄筋用スペーサＳは、６種類の「かぶりＬ」寸法に対応でき、汎用性の高いものとなっている。
【００１７】
尚、上記実施の形態において、鉄筋用スペーサＳのブロック本体１０の形状を直方体に形成したが、必ずしもこれに限定されるものではなく、鉄筋用スペーサＳのブロック本体１０の形状を、例えば、図５に示すように、６角形にし、また、図６に示すように、平行四辺形にし、更に、図７に示すように、台形に形状を変更するなど、適宜変更して差し支えない。台形の場合、鉄筋を載せて使用できる面は上面１２と下面１３の２面のみとなる。更に、溝１１の幅や溝１１の深さも適宜変更して良い。
【００１８】
【考案の効果】
以上説明したように、本考案の鉄筋用スペーサによれば、相対向する平行な一対の面の組を３以上有したブロック本体を備え、各面の組のいずれか一方の面に最下端の鉄筋を係合支持可能な溝を形成し、一方の面及び他方の面間の面間距離と一方の面に形成した溝の底部及び他方の面間の溝面距離とを、全面の組で各々異ならせたので、１個で複数のかぶりの寸法に対応でき、それだけ汎用性を高くすることができるとともに、部品点数を低減して製造や管理を容易にすることができる。
【００１９】
また、ブロック本体が縦寸法，横寸法及び高さ寸法が夫々異なる直方体とした場合には、製造を容易にし、安定性も確保することができる。
そして、ブロック本体を高強度コンクリートで形成した場合には、通常の構造物コンクリート強度以上の強度を満たすことができる。
【図面の簡単な説明】
【図１】本考案の実施の形態に係る鉄筋用スペーサを示す斜視図である。
【図２】本考案の実施の形態に係る鉄筋用スペーサの寸法関係を示す図であり、（ａ）は面間距離がＸａ，溝面距離がＹａの面を示す図、（ｂ）は面間距離がＸｂ，溝面距離がＹｂの面を示す図、（ｃ）は面間距離がＸｃ，溝面距離がＹｃの面を示す図である。
【図３】本考案の実施の形態に係る鉄筋用スペーサの実際の使用例を示す斜視図である。
【図４】本考案の実施の形態に係る鉄筋用スペーサの実際の他の使用例を示す斜視図である。
【図５】本考案の他の実施の形態に係る鉄筋用スペーサを示す図であり、（ａ）は平面図，（ｂ）は正面図である。
【図６】本考案の別の実施の形態に係る鉄筋用スペーサを示す図であり、（ａ）は平面図，（ｂ）は正面図である。
【図７】本考案のまた別の実施の形態に係る鉄筋用スペーサを示す図であり、（ａ）は平面図，（ｂ）は正面図である。
【図８】従来の鉄筋用スペーサの一例を示す図であり、（ａ）は平面図，（ｂ）は正面図である。
【符号の説明】
Ｓ　鉄筋用スペーサ
Ｌ　「かぶり」
１　基礎面
２　鉄筋組体
３　鉄筋
１０　ブロック本体
１１　溝
Ａ１，Ｂ１，Ｃ１　一方の面
Ａ２，Ｂ２，Ｃ２　他方の面
Ａ３，Ｂ３，Ｃ３　溝の底部
Ｘ（Ｘａ，Ｘｂ，Ｘｃ）　面間距離
Ｙ（Ｙａ，Ｙｂ，Ｙｃ）　溝面距離
１２　上面
１３　下面
【図１】
0003097905.tif 000003
【図２】
0003097905.tif 000004
【図３】
0003097905.tif 000005
【図４】
0003097905.tif 000006
【図５】
0003097905.tif 000007
【図６】
0003097905.tif 000008
【図７】
0003097905.tif 000009
【図８】
0003097905.tif 000010